(57)【特許請求の範囲】
【請求項１】
吸込口を有する吸込具本体と、該吸込具本体の前記吸込口に臨ませた状態で回転可能に設けられた回転ブラシとを備え、回転ブラシは、被清掃面と当接し、前記吸込具本体の移動に伴なって回転する一対のブラシホルダーと、前記ブラシホルダー間に跨って配置されると共に、前記ブラシホルダーの周部にそれぞれ設けられ、前記ブラシホルダーに対して回転可能な複数の清掃体とを有し、
前記清掃体の周部には、略円錐状に形成された複数の突起又は螺旋状に形成された複数の清掃子が設けられていることを特徴とする床用吸込具。
【請求項２】
回転ブラシの中心部分の空間は、その開口断面積の和が清掃体の断面積の和よりも大きくなるように形成されていることを特徴とする請求項１記載の床用吸込具。
【請求項３】
ブラシホルダーの外周には、滑り止めが一体的に形成されていることを特徴とする請求項１記載の床用吸込具。
【発明の詳細な説明】
【０００１】
【発明の属する技術分野】
この発明は、電気掃除機に接続されて使用される回転ブラシを有する床用吸込具に関するものである。
【０００２】
【従来の技術】
図１２は例えば特開平１１−１２３１６７号公報に示された従来の床用吸込具の断面図、図１３は回転ブラシの断面図である。図において、５１は下面に吸込口５２を有する吸込具本体、５３は吸込具本体５１内に形成される回転ブラシ収納室、５４は吸込口５２に臨ませた状態で回転ブラシ収納室５３に回転自在に収納され、芯体５５とその外周に翼片５６を配設した回転ブラシである。５７は吸込具本体５１に形成された回転ブラシ５４の翼片５６に向かって外気を案内する案内口である。翼片５６は、芯体５５に螺旋状に形成された溝５５ａに基部５８ａを挿入して装着される一対のブラシ体５８（第１のブレード）と芯体５５の溝５５ａに合成樹脂をモールドして構成される基部５９ａを挿入して装着される一対のブレード５９（第２のブレード）から構成されている。また、第２のブレード５９は基部５９ａと難通気性の布状体５９ｂと布状体５９ｂの他端部に縫い付けられた刷毛状体５９ｃから構成されており、第２のブレード５９は布状体５９ｂに刷毛状体５９ｃを縫いつけることにより、布状体５９ｂが引きつって回転ブラシ５４の回転方向の後方側に湾曲するようになっている。
【０００３】
また、第１のブレード５８及び第２ブレード５９は回転ブラシ５４が停止状態においては、被清掃面に接触しないようになっているが、第２ブレード５９は回転ブラシ５４の回転方向（反時計方向）に対して後方側に湾曲しているので、回転ブラシ５４が回転すると、回転に伴う遠心力により起立状態となるようになっている。６０は吸込具本体５１に回転自在に転結される継ぎ手管で、図示しない掃除機本体に可撓性ホース及び延長管を介して着脱自在に接続されるようになっている。６０ａは前記継ぎ手管６０の入り口である。
【０００４】
次に、動作について説明する。
被清掃面を掃除する際には、吸込口５２から吸込まれた空気が翼片５６に衝突し、回転ブラシ５４を回転させている。そのとき、第２のブレード５９は回転ブラシ５４の回転が高速になってくると起立状態となり、床面や畳等に接触するようになる。また、絨毯等の掃除においては、吸込口５２が絨毯で塞がれるため、案内口５７から吸引される空気により回転ブラシ５４は回転する。その際、被掃除面が抵抗となり、回転ブラシ５４の回転数が低下するが、第２のブレード５９が回転方向に湾曲し、被清掃面との接触抵抗が低下することで、再び回転ブラシ５４の回転数が上昇する。したがって、第２のブレード５９が起立、湾曲を繰り返すことにより、回転ブラシ５４の回転数を一定に保とうとしている。
【０００５】
【発明が解決しようとする課題】
しかしながら、このような構成の床用吸込具では、回転ブラシの回転中心部分に芯体が配置されているため、芯体と翼片が障害となり、吸い込んだ空気の流れを低下させ、ゴミ取り性能が低下してしまう恐れがあった。また、翼片が継ぎ手管の入り口を塞ぐ場合があり、大きいゴミの取り残しが生じていた。
【０００６】
この発明は、上記のような課題を解決するものであり、ゴミ取り性能のよい床用吸込具を提供することを目的としている。
【０００７】
【課題を解決するための手段】
この発明に係る床用吸込具は、吸込口を有する吸込具本体と、該吸込具本体の前記吸込口に臨ませた状態で回転可能に設けられた回転ブラシとを備え、回転ブラシは、被清掃面と当接し、前記吸込具本体の移動に伴なって回転する一対のブラシホルダーと、前記ブラシホルダー間に跨って配置されると共に、前記ブラシホルダーの周部にそれぞれ設けられ、前記ブラシホルダーに対して回転可能な複数の清掃体とを有し、前記清掃体の周部には、略円錐状に形成された複数の突起又は螺旋状に形成された複数の清掃子が設けられているものである。
【０００８】
また、回転ブラシの中心部分の空間は、その開口断面積の和が清掃体の断面積の和よりも大きくなるように形成されているものである。
【０００９】
また、ブラシホルダーの外周には、滑り止めが一体的に形成されているものである。
【００１１】
【発明の実施の形態】
実施の形態１．
図１〜図５はこの発明の実施に形態１を示すものである。図１は床用吸込具を床・畳上に載置した状態を示す断面図、図２は床用吸込具を絨毯上に載置した状態を示す断面図、図３は床用吸込具の回転ブラシを示す断面図、図４は床用吸込具の回転ブラシを示す縦断面図、図５は床用吸込具の上ケースを外した状態を示す上面図である。図において、１は吸込具本体、２は吸込具本体１の下ケースであり、下面に吸込口３が形成されている。４は上ケースであり、下ケース２と共に、後述する回転ブラシが収納される略円筒形状の回転ブラシ収納室５を形成している。６は下ケース２と上ケース３に回転自在に連結される継ぎ手管で、図示しない掃除機本体に可撓性ホース及び延長管を介して着脱可能に接続されている。６ａは継ぎ手管６の入り口、７は回転ブラシ収納室５の開口部両側に設けられた軸受である。８は吸込具本体１の前部に設けられた前車輪、９は吸込具本体１の後部に設けられた後車輪である。
【００１２】
１０は吸込口２に臨ませた状態で回転ブラシ収納室５内に配設され、軸受７に回転自在に軸支された回転ブラシであり、一対のブラシホルダー１１と、該ブラシホルダー１１に設けられ、軸受７と当接する回転軸１２と、一対のブラシホルダー１１間に回転可能に跨って配置された清掃体である複数の清掃軸１３により構成されている。１４はブラシホルダー１１に形成された回転軸１２を固定するための固定穴、１５はブラシホルダー１１の固定穴１４とは反対側の面に設けられ、複数の清掃軸１３を回転可能に挿入する軸挿入穴である。また、回転ブラシ１０により継ぎ手管６の入り口６ａを塞がないようにするため、清掃軸１３は回転ブラシ１０の回転中心部分に空間Ａを形成するように、回転軸１２からある一定の長さ（半径）で設けられている。さらに、図４に示すとおり、清掃軸１３同士間に形成される空間Ａの開口断面積の和をＢ、清掃軸１３の断面積の和をＣとすると、ＢがＣよりも大きく（Ｂ＞Ｃ）なるように形成されているので、空間Ａへ空気がスムーズに流れ込み、継ぎ手管６へスムーズに導かれるように構成されている。
なお、図中、矢印は空気（ごみ）の流れを示すものである。
【００１３】
また、清掃軸１３は硬い芯部１３ａと、被清掃面に接触した際に被接触面を傷つけないように設けられたゴム等の軟質部材１３ｂとで一体的に形成されている。また、１６はブラシホルダー１１の外周に一体的に形成された滑り止めであり、摩擦抵抗の大きい部材、例えばゴム等から構成されている。また、滑り止め１６の表面には、被清掃面とブラシホルダー１１がスリップしないように凹部１６ａと凸部１６ｂが形成されている。また、回転ブラシ１０はブラシホルダー１１の回転に伴ない回転するようになっており、吸込具本体１を前進させたときは反時計方向に回転し、後退させたときは時計方向に回転する。
【００１４】
次に動作について説明する。
図示しない掃除機本体に可撓性ホース（図示せず）及び延長管（図示せず）を介して継ぎ手管６を接続し、掃除機本体を駆動すると、吸込口３から空気が吸引される。そして、床用吸込具１を被清掃面上で動かすとブラシホルダー１１が被清掃面と接触するので回転ブラシ１０が回転する。被清掃面が床・畳等の場合は、回転ブラシ１０の回転中心部分に空間Ａが形成されているため、吸込口３と継ぎ手管６の入り口６ａまでの風路において障害物がないので、吸引された空気と共に大きいゴミもスムーズに流れる。また、被清掃面が絨毯の場合は、回転ブラシ１０が回転することにより、清掃軸１３が絨毯のゴミを掻き出し、床・畳等の場合と同様に吸引された空気と共にゴミが吸い込まれていく。さらに、床・畳や絨毯上において、髪の毛や糸くず等を吸い込む場合は、清掃軸１３自体が回転するので、吸い込んだ髪の毛等が清掃軸１３にからまずにスムーズに吸い込まれていく。また、ブラシホルダー１１の外周には滑り止め１６が形成されているので、被掃除面とスリップすることを防止するため、回転ブラシ１０は確実に回転する。
【００１５】
実施の形態１によれば、回転ブラシ１０の開口断面積の和Ｂと清掃軸１３の断面積の和Ｃの関係を、Ｂ＞Ｃとすると共に、回転ブラシの中心部分に芯体や翼片等の障害物が配置されていないので、吸い込んだ空気の流れが低下せず、大きいゴミを吸い込むことができる。したがって、ゴミ取り性能を向上させることができる。また、清掃軸に髪の毛や糸屑がからまないので、メンテナンス性が向上する。
【００１６】
なお、絨毯等で髪の毛や糸屑をさらに取りやすくするため、清掃軸１３の軟質部材１３ｂに先端が尖った形状、例えば図６、図７に示すような略円錐状の突起１３ｃを設けてもよい。
【００１７】
実施の形態２．
図８、図９はこの発明の実施に形態２を示すものである。図８は床用吸込具を床・畳上に載置した状態を示す断面図、図９は床用吸込具を絨毯上に載置した状態を示す断面図である。実施の形態１では、清掃軸を設けていたが、実施の形態２では、清掃軸に複数の清掃子（ブレード）を設け、小回転ブラシとしたものである。図において、実施の形態１と同一の構成には同じ符号を付し、説明を省略する。２１は吸込具本体であり、その内部には回転ブラシ２２が収納される回転ブラシ収納室５が形成されている。回転ブラシ２２は吸込口２に臨ませた状態で軸受７に回転自在に軸支されて、回転ブラシ収納室５内に配置されている。２３は一対のブラシホルダー１１に跨って配置された複数の小回転ブラシであり、ブラシホルダー１１の軸挿入穴１５に回転可能に挿入されている。また、小回転ブラシ２３は、回転ブラシ２２の回転中心部に空間Ａを形成するように、回転軸１２からある一定の長さ（半径）で設けられている。また、小回転ブラシ２３は堅い芯部２３ａと、被掃除面に接触した際に被掃除面を傷つけないように設けられたゴム等の軟質部材２３ｂとで形成されている。さらに、軟質部材２３ｂには螺旋状に形成された清掃子（ブレード）２３ｃが設けられている。
【００１８】
動作については実施の形態１とほぼ同様であるので詳細な説明を省略する。
実施の形態２によれば、回転ブラシ２２が回転すると共に、小回転ブラシ２３のブレード２３ｃに吸引された空気が衝突することにより小回転ブラシ２３が回転する。そして、小回転ブラシ２３は、回転しながら接触するので、床・畳等においては、ごみ取り効果の他、磨き効果も得られる。さらに，絨毯においては絨毯の奥の方までゴミを掻き出すことができ、ゴミ取り効率が向上する。
【００１９】
なお、絨毯等の被掃除面で髪の毛や糸屑をさらに取りやすくするため、ブレード２３ｃの表面上に先端が尖った形状の、例えば図１０及び図１１に示すような略円錐状の複数の小突起２３ｄを設けてもよい。
【００２０】
また、清掃子として、軟質部材に螺旋状に複数のブレードを設けたが、植毛ブラシを軟質部材に設けるようにしてもよい。
【００２１】
また、実施の形態１及び実施の形態２では被清掃面にブラシホルダーが接触することで回転ブラシを回転させていたが、これに限るものではなく、回転ブラシの駆動源としてファンやモータを用いても同様の効果が得られる。その際、駆動源の抵抗とならないように、ブラシホルダーの滑り止めを設けないようにしたり、被清掃面に接触しないように設けてもよい。
【００２２】
【発明の効果】
以上のように、この発明は、吸込口を有する吸込具本体と、該吸込具本体の前記吸込口に臨ませた状態で回転可能に設けられた回転ブラシとを備え、回転ブラシは、被清掃面と当接し、前記吸込具本体の移動に伴なって回転する一対のブラシホルダーと、前記ブラシホルダー間に跨って配置されると共に、前記ブラシホルダーの周部にそれぞれ設けられ、前記ブラシホルダーに対して回転可能な複数の清掃体とを有し、前記清掃体の周部には、略円錐状に形成された複数の突起又は螺旋状に形成された複数の清掃子が設けられているので、回転ブラシの回転中心部分に障害物となるものが配置さていないので、吸い込んだ空気の流れが低下せず、ゴミ取り性能を向上させることができる。また、清掃体は回転可能なので、髪の毛や糸屑がからんでしまうことを防止でき、メンテナンス性が向上する。
【００２３】
また、回転ブラシの中心部分の空間は、その開口断面積の和が清掃体の断面積の和よりも大きくなるように形成されているので、回転ブラシの回転中心部分に障害物となるものがなく、ゴミ取り性能を向上させることができる。
【００２４】
また、ブラシホルダーの外周には、滑り止めが一体的に形成されているので、回転ブラシを確実に回転させることができる。
【図面の簡単な説明】
【図１】  この発明の実施の形態１を示す床用吸込具を床・畳上に載置した状態の断面図である。
【図２】  この発明の実施の形態１を示す床用吸込具を絨毯上に載置した状態の断面図である。
【図３】  この発明の実施の形態１を示す床用吸込具の回転ブラシの断面図である。
【図４】  図３に示す回転ブラシの縦断面図である。
【図５】  この発明の実施の形態１を示す床用吸込具の上ケースを外した状態の上面図である。
【図６】  回転ブラシの清掃軸の他の例を示す断面図である。
【図７】  図６に示す清掃軸の要部拡大図である。
【図８】  この発明の実施の形態２を示す床用吸込具を床・畳上に載置した状態の断面図である。
【図９】  この発明の実施の形態２を示す床用吸込具を絨毯上に載置した状態の断面図である。
【図１０】  この発明の実施の形態２を示す床用吸込具の回転ブラシの清掃子（小回転ブラシ）の他の構成を示す断面図である。
【図１１】  図１０に示す清掃子の要部拡大図である。
【図１２】  従来の床用吸込具を示す断面図である。
【図１３】  従来の床用吸込具の回転ブラシを示す断面図である。
示す断面図である。
【符号の説明】
１  吸込具本体、２  下ケース、３  吸込口、４  上ケース、
５  回転ブラシ収納室、６  継ぎ手管、６ａ  入り口、７  軸受、８  前車輪、
９  後車輪、１０  回転ブラシ、１１  ブラシホルダー、１２  回転軸、
１３  清掃軸、１３ａ  芯部、１３ｂ  軟質部材、１４  固定穴、
１５  軸挿入穴、１６  滑り止め、１６ａ  凹部、１６ｂ  凸部、
２１  吸込具本体、２２  回転ブラシ、２３  小回転ブラシ、２３ａ  芯部、
２３ｂ  軟質部材、２３ｃ  清掃子（ブレード）、２３ｄ  小突起、
【図１】
0003858215.tif 000002
【図２】
0003858215.tif 000003
【図３】
0003858215.tif 000004
【図４】
0003858215.tif 000005
【図５】
0003858215.tif 000006
【図６】
0003858215.tif 000007
【図７】
0003858215.tif 000008
【図８】
0003858215.tif 000009
【図９】
0003858215.tif 000010
【図１０】
0003858215.tif 000011
【図１１】
0003858215.tif 000012
【図１２】
0003858215.tif 000013
【図１３】
0003858215.tif 000014